(57)【要約】【課題】  ブラジャーの着用時に、リフトアップパーツに段差が生じないようにし、且つ、着用者のバストの大きさに応じたリフトアップが可能とする。【解決手段】  カップ部２の肌側に取り付けられたリフトアップパーツ９は、上端部９Ａは、カップ部２の上端部２Ａとストラップ５のカップ部側端部に縫着され、下縁部９Ｂは、その全長に亘ってカップ部２の下縁２Ｂに縫着されている。さらに、リフトアップパーツ９の内側縁部９Ｃと外側縁部９Ｄは、カップ部２に縫着されないでフリーの状態となっている。また、リフトアップパーツ９は、非伸縮性素材からなる脇側部分９１と伸縮性素材からなる中心側部分９２からなり、脇側部分９１と中心側部分９２の割合は、脇側部分９１が７０％から８０％である。【選択図】  図２
2014129618.tif 000002
【特許請求の範囲】
【請求項１】
一対のカップ部と、
前記カップ部間にあり、該カップ部を連結しワイヤーチャネルが縫着された土台部と、
前記土台部から側方に延びるバック部と、
一端が前記カップ部の上端に取り付けられ、他端が前記バック部の上縁に取り付けられたストラップと、
前記カップ部の表側又は肌側に取り付けられたリフトアップパーツからなり、
前記各カップ部の下縁と前記ワイヤーチャネルの間に、該各カップ部の下縁と該ワイヤーチャネルの双方に縫着された伸縮性素材を設けたブラジャーにおいて、
前記リフトアップパーツは、上端部が前記カップ部と前記ストラップに縫着され、下縁部が該カップ部の下縁に縫着されていると共に、上辺部がカップに縫着されずフリーとなっており、
非伸縮性素材からなる脇側部分と伸縮性部材からなる中心側部分からなり、
前記脇側部分は上端部から下縁部に至り、前記中心側部分は上辺部から下縁部に至ると共に、
前記リフトアップパーツにおいて、前記脇側部分が前記中心側部分より大きい、
ことを特徴とするブラジャー。
【請求項２】
前記リフトアップパーツにおいて、前記脇側部分の占める割合が７０％から８０％であることを特徴とする、請求項１記載のブラジャー。
【請求項３】
前記リフトアップパーツにおいて、脇辺部がカップに縫着されずフリーとなっていることを特徴とする、請求項１及び２記載のブラジャー。
【発明の詳細な説明】
【技術分野】
【０００１】
本発明は、リフトアップパーツを取り付けたブラジャーに関する。
【背景技術】
【０００２】
ブラジャーには、リフトアップパーツが設けられ、バストを内側に寄せるものがある。
【先行技術文献】
【特許文献】
【０００３】
【特許文献１】特許第２７０９０３７号
【特許文献２】特開２０１２−１６２８３３
【発明の概要】
【発明が解決しようとする課題】
【０００４】
特許文献１に記載の発明では、リフトアップパーツが設けられているが、低伸長部、中立部、高伸長部の3箇所からなっている。このため、伸縮性に差があり、リフトアップパーツがストラップに引っ張られた際に、段差が生じやすい。また、中立部の一部と高伸長部はバストトップより体の中心側にあるため、リフトアップパーツがストラップに引っ張られた際に、中立部と高伸長部の境界部分が段差となりやすい。
【０００５】
特許文献２に記載の記載の発明にも、リフトアップパーツが設けられているが、非伸縮性素材のみからなる。このため、着用者のバストの大きさに応じたリフトアップが出来ない。
【０００６】
本発明は、着用時に、リフトアップパーツに段差が生じることなく、且つ、着用者のバストの大きさに応じたリフトアップが可能としたブラジャーである。
【課題を解決するための手段】
【０００７】
本発明のブラジャーは、一対のカップ部と、カップ部間にあり、カップ部を連結しワイヤーチャネルが縫着された土台部と、土台部から側方に延びるバック部と、一端が前記カップ部の上端に取り付けられ、他端がバック部の上縁に取り付けられたストラップと、カップ部の表側又は肌側に取り付けられたリフトアップパーツからなり、各カップ部の下縁とワイヤーチャネルの間に、各カップ部の下縁とワイヤーチャネルの双方に縫着された伸縮性素材を設けたブラジャーにおいて、リフトアップパーツは、上端部がカップ部とストラップに縫着され、下縁部がカップ部の下縁に縫着されていると共に、上辺部がカップ部に縫着されずフリーとなっており、非伸縮性素材からなる脇側部分と伸縮性部材からなる中心側部分からなり、脇側部分は上端部から下縁部に至り、前記中心側部分は上辺部から下縁部に至ると共に、リフトアップパーツにおいて、脇側部分が中心側部分より大きいことを特徴としている。
【０００８】
本発明のブラジャーは、リフトアップパーツにおいて、脇側部分の占める割合が７０％から８０％であることを特徴としている。
【０００９】
本発明のブラジャーは、リフトアップパーツにおいて、脇辺部がカップ部に縫着されずフリーとなっていることを特徴とする。
【発明の効果】
【００１０】
請求項１記載の発明によれば、リフトアップパーツの非伸縮性素材によってバストを引き上げ、且つ、体の中心側に寄せ、さらに、伸縮性素材によってバストの大きさに従ってカップ部を適宜引き上げる。これにより、バストの大きさに関係なく、バストを体の中心側に寄せて上げることができる。請求項２の発明によれば、バストを体の中心に寄せる力とカップ部を引き上げる力のバランスが、最適となる。請求項３の発明によれば、ストラップの力がカップ部にストレートに伝わり、カップ部が引き上げられやすくなる。
【図面の簡単な説明】
【００１１】
【図１】本発明の第１実施例の正面図である。
【図２】本発明の第１実施例の背面図である。
【発明を実施するための形態】
【実施例１】
【００１２】
図１に示されているのは、本発明の実施例であるブラジャー１である。ブラジャー１は、左右一対のカップ部２、カップ部２を連結する土台部３、土台部３から側方（図１中、左右方向）に延びる一対のバック部４、カップ部２の上端に一端が縫着され、バック部４の上縁に他端が縫着されている一対のストラップ５を有する。
【００１３】
カップ部２は４枚の生地を接ぐことによって立体感を出しており、クッション性と所定の厚さを有する生地２１及び生地２２、不図示の生地と、表側生地と裏側生地の間に非伸縮性生地を設けた、伸び止め用のアームホール部２３からなる。カップ部２の表側には、レース２５を縫着している。本実施例において、生地２１と生地２２及び前述の不図示の生地は、ダブルラッセルを素材とし、アームホール部２３は、綿混メッシュを用いている。  
【００１４】
土台部３は、表側に伸縮性のあるレース３１、肌側にマーキゼット３２、マーキゼット３２に縫着されたワイヤーチャネル７を有し、非伸縮性生地であるマーキゼット３２によって全体の伸びを抑制している。さらに、カップ部２間においては、ワイヤーチャネル７間を非伸縮性テープ３３で連結し、マーキゼット３２の肌側下縁に沿って縫着された下辺テープＴと非伸縮性テープ３３の間に伸び止めテープ３４を縫着している。このようにして、土台部３のカップ間においては、より伸びを止めることにより、着用者の動作によってカップ部が必要以上に動くことを防止している。
【００１５】
カップ部２の下縁に沿って略Ｕ字形帯状の伸縮性を有するメッシュテープ６を縫着し、メッシュテープ６の下縁と土台部３のワイヤーチャネル７を縫着する。ワイヤーチャネル７の中には、不図示のワイヤーが封入されている。ワイヤーチャネル７の長さ方向の両端は土台部３にそれぞれ縫着され、ワイヤーの飛び出しを防いでいる。
【００１６】
バック部４は、表側下部に土台部３から延びる伸縮性レース３１、表側上部に、伸縮性レース３１より細幅の別の伸縮性レース４１、肌側にパワーネット等の伸縮性生地４２、肌側下縁部に土台部３から延びる下辺テープＴを有する。伸縮性レース３１と伸縮性レース４１は、ワイヤーチャネル７から後述の雌係止部８に至るまで連続して縫着され、表側部を成す。伸縮性レース４１と伸縮性生地４２は、それぞれの上縁部において縫着され、伸縮性レース３１、伸縮性生地４２は、それぞれの下縁部において下辺テープＴと共に縫着される。本実施例においては、下辺テープＴは、伸縮性生地４２より肌側に縫着される。
【００１７】
バック部４の長さ方向（図１中、左右方向）先端には、雌係止部８と雌係止部８と着脱可能に係合する不図示の雄係止部が縫着されている。
【００１８】
ストラップ５は、伸縮性のある素材からなり、そのカップ部側端部がリフトアップパーツ９の上端部９Ａと共にカップ部２の上端部２Ａに縫着されている。また、ストラップ５のバック部側端部がバック部４の上縁の所定箇所に縫着されている。なお、ストラップ５のバック部側端部は、連結具を介してバック部４に取り付けてもよい。
【００１９】
リフトアップパーツ９は、非伸縮性素材からなる脇側部分９１と伸縮性素材からなる中心側部分９２からなる。脇側部分９１と中心側部分９２は、その境界部において接いである。リフトアップパーツ９の上端部９Ａは、カップ部２の上端部２Ａとストラップ５のカップ部側端部に縫着され、下縁部９Ｂは、その全長に亘ってカップ部２の下縁２Ｂに縫着されている。リフトアップパーツ９の内側縁部９Ｃと外側縁部９Ｄは、カップ部２に縫着されないでフリーの状態となっていることが好ましい。従って、ストラップ５を上方向（図２中、上方向）に引っ張る力が働くと、それに伴って、リフトアップパーツ９が若干上方に持ち上げられる。このとき、内側縁部９Ｃと外側縁部９Ｄは、カップ部に縫着されないでフリーの状態となっているので、リフトアップパーツ９が適切に伸びる。リフトアップパーツ９は、カップ２の肌側に取り付けると、着用した際に力がストレートに伝わるので、より望ましい。  
【００２０】
ストラップ５が上方向に引っ張られる力は、最初に脇側部分９１に伝わる。このため、非伸縮性素材からなる脇側部分９１が不図示のバストを上方に持ち上げ、且つ、体の中心部に寄せる。次に、伸縮性素材からなる中心側部分９２に力が伝わり、バストの大きさに応じて中心側部分９２が適宜伸びる。これにより、着用者のバストの大きさに違いがあっても、バストの大きさに応じて中心側部分９２が伸びるので、バストを適切に持ち上げることができる。例えば、バストの大きな着用者であれば、バストの肉によって、リフトアップパーツ９により力が伝わって上側に持ち上げられることにより、伸縮性素材からなる中心側部分９２が上側に適宜伸び、カップ２も上方向に持ち上げられる。逆に、バストの小さい着用者であれば、リフトアップパーツ９はあまり上側に持ち上げられないので、伸縮性素材からなる中心側部分９２はほとんど伸びない。
【００２１】
リフトアップパーツ９において、脇側部分９１が、中心側部分９２より大きくなければならない。すなわち、脇側部分９１の面積が中心側部分９２より大きい。中心側部分９２の方が大きいと、カップ部２が持ち上げられてしまい、バストからずれるからである。様々な着用者においてフィッティングを行った結果、脇側部分９１と中心側部分９２の割合は、脇側部分９１が７０％から８０％であることが好ましい。脇側部分９１がそれ以上小さいと、伸縮性の中心側部分９２が大きくなって、リフトアップパーツ９を持ち上げる力が働いた時、カップ部２がバストからずれる恐れがある。一方、脇側部分９１がそれ以上大きいと、伸縮性の中心側部分９２が小さくなりすぎ、その部分の機能が働かないからである。
【００２２】
本実施例においては、脇側部分９１は、カップ部側の綿混メッシュとカップ部側のナイリテストを縫着してなる。綿混メッシュが非伸縮性であることから、脇側部分９１は伸びが抑制されている。中心側部分９２は、パワーネットを用いている。なお、生地は上記のものに限定されず、他の生地を用いてもよいのは当然である。また、リフトアップパーツ９は、必ずしも生地でなくともよく、非伸縮性を有するものであれば、他の素材であってもよい。
【００２３】
さらに、ワイヤーチャネル７とカップ部２の下縁２Ｂは、伸縮性を有するメッシュテープ６を介して離れている。このため、リフトアップパーツ９が上方に引っ張られても、メッシュテープ６が上方に伸びることによって、リフトアップパーツ９を上方に引っ張る力がワイヤーチャネル７に伝わりにくく、ワイヤーチャネル７が動き難くなる。従って、ブラジャー１を着用したとき、着用者の動作によってワイヤーが乳房の下縁部から外れることが少なくなる。なお、この効果を得るには、ワイヤーチャネル７とリフトアップパーツ９が、所定幅離れていなければならない。メッシュテープ６を用いた場合、ワイヤーチャネル７とリフトアップパーツ９の下縁部９Ｂの距離が３ミリ以上１センチ以下であることが好ましい。すなわち、その程度離れていることにより、最適の効果を得ることができる。
【００２４】
なお、本発明は、上記の実施例のものに限定されないのは当然である。例えば、実施例１では、カップ部２の肌側にリフトアップパーツ９を取り付けたが、表側に取り付けることも可能である。この場合、リフトアップパーツ９の形状を変えることなく、実施例１と同様にカップ部２の表側に取り付ければよい。
脇側部分９１と中心側部分９２は、その境界部において接いであるが、他の方法で固定してもよい。例えば、境界部に熱溶着テープを取り付けて、熱を加えて双方を固定してもよい。また、伸縮性素材からなる中心側部分９２を一体形成し、その上から、脇側部分９１に非伸縮性素材を縫製等によって取り付けてもよい。
【００２５】
また、実施例１では、リフトアップパーツ９の内側縁部９Ｃと外側縁部９Ｄは、カップ部２に縫着されないでフリーの状態となっているが、双方あるいはどちらか一方をカップ２に縫着してもよい。
【００２６】
カップ部２を構成する生地は、実施例１のものと異なっていてもよい。実施例１では、４枚の生地を接いで立体感を形成したが、４枚でなくてもよいのは当然である。さらに、カップ部２を構成するものは生地でなくともよく、例えば、ファイバーフィル、ポリウレタンシート、ポリウレタン成型カップ等であってもよい。
【００２７】
土台部３の構成は、実施例１と異なっていてもよい。例えば、肌側生地は、マーキゼットでなくとも非伸縮性生地であればよい。また、実施例１では、バック部４を２枚のレースから成る表側と、１枚の肌側生地から構成したが、これと同一でなくともよい。
【符号の説明】
【００２８】
１  ブラジャー
２  カップ部
３  土台部
４  バック部
５  ストラップ
６  メッシュテープ
７  ワイヤーチャネル
８  雌係止部
９  リフトアップパーツ
【図１】
2014129618.tif 000003
【図２】
2014129618.tif 000004